【事件の表示】
　上記当事者間の登録第１７５５６１１号商標の登録取消審判事件について、次のとおり審決する。
【結　論】
　本件審判の請求は、成り立たない。
　審判費用は、請求人の負担とする。
【理　由】
１　本件商標
　本件登録第１７５５６１１号商標（以下「本件商標」という。）は、「スリーピングビューティ」の片仮名文字及び「ＳＬＥＥＰＩＮＧ　ＢＥＡＵＴＹ」の欧文字を上下二段に表してなり、昭和５７年７月８日に登録出願、第１７類「被服、布製身回品、寝具類」を指定商品として、同６０年３月２５日に設定登録され、その後、平成１８年３月２９日に指定商品を第２４類「布製身の回り品，かや，敷布，布団，布団カバー，布団側，まくらカバー，毛布」及び第２５類「被服」とする指定商品の書換登録がなされ、その商標権は現に有効に存続しているものである。
　また、本件審判の請求の登録日は、平成１９年１２月２７日である。
　　
２　請求人の主張の要点
　請求人は、「本件商標の登録を取り消す。審判費用は被請求人の負担とする。」との審決を求めると申し立て、その理由として、本件商標は、継続して３年以上日本国内において、商標権者、専用使用権者又は通常使用権者のいずれも使用した事実が存在しないから、その登録は、商標法第５０条第１項により、取り消されるべきである旨主張している。
　　
３　被請求人の答弁の要点
　被請求人は、結論同旨の審決を求めると答弁し、その理由を次のように述べ、証拠方法として、乙第１号証ないし乙第１５号証（枝番号を含む。）を提出した。
（１）本件商標は、通常使用権者である株式会社ワコール（以下「ワコール」という。）が、本件審判の請求の登録前３年以内に、商品「タオル、パジャマ、ブラジャー」について使用しているものである。したがって、本件審判により、本件商標の登録を取り消すことはできない。
（２）本件商標の通常使用権者
　被請求人は、平成１４年１１月１日付締結の契約（以下「旧契約」という）により、ワコールに本件商標の通常使用権を許諾した。この事実を証するために、乙第１号証として旧契約書を提出する。
　また、本件商標の指定商品の書換登録後、契約内容の正確性を期するために、被請求人は、平成１８年１１月１日付締結の契約（以下「現契約」という）により、旧契約を解約すると共に、ワコールに本件商標の通常使用権を再許諾した。この事実を証するために、乙第２号証として現契約書を提出する。
　この現契約が現在でも有効であることは、乙第３号証として提出する平成１９年１１月２６日付け請求書から明らかである。当該請求書は、被請求人からワコールに対して発せられたものであり、本件商標の商標使用料に関するものである。
　以上のことから、平成１４年１１月１日から現在に至るまで、ワコールが本件商標の通常使用権者であることが明らかである。
（３）本件商標の使用
　ア　商品「タオル」における商標の使用
　ワコールは、本件商標を表示した商品「タオル」を販売している事実がある。乙第４号証は、その上半部にワコールの販売に係る商品「タオル」を示し、下半部に該「タオル」に取着された下げ札の内面表示部を示すものである。また、乙第５号証は、前記下げ札を広げた状態の表面を示すものである。
　これらの証拠から明らかなように、下げ札の表面に、手書き風に表した「Ｓｌｅｅｐｉｎｇ　Ｂｅａｕｔｙ」の文字よりなる商標が表示されている。該使用商標は、本件商標と片仮名「スリーピングビューティ」が併記されていないこと及び書体が異なることにおいて相違するとしても、本件商標における上段の片仮名「スリーピングビューティ」と下段の欧文字「ＳＬＥＥＰＩＮＧ　ＢＥＡＵＴＹ」とは同一の称呼及び観念が生じるものであるから、一方の文字を省略しても本件商標との同一性を損なうものではなく、また、本件商標における欧文字「ＳＬＥＥＰＩＮＧ　ＢＥＡＵＴＹ」と使用商標における手書き風の「Ｓｌｅｅｐｉｎｇ　Ｂｅａｕｔｙ」とは書体のみの相違であるから、結局、上記使用商標は、本件商標と社会通念上同一と認められる商標であることは明らかである。なお、使用商標において「Ｓｌｅｅｐｉｎｇ」と「Ｂｅａｕｔｙ」との間に小さい鳥の図形が配されているが、これは下げ札の背景として表されている鳥の図形をあしらったに過ぎないものであり、「Ｓｌｅｅｐｉｎｇ　Ｂｅａｕｔｙ」の商標が表示されていることには変わりはない。
　また、下げ札の内面表示部には、販売者として「株式会社ワコール」が表示され、商品の品番「ＥＹ８７１１」が表示されている。
　当該品番の商品が現実に販売されたことは、乙第６号証として提出する納品書から明らかである。当該納品書は、ワコールからワコールの直営店である「ブールマルシェ」（所在地：東京都渋谷区神南１−１５−５神南プラザビル１階）に対してのものであり、本件審判の請求の登録前３年以内である平成１８年７月１９日に品番「ＥＹ８７１１」の商品が納品された事実を示すものである。
　以上のことから、本件商標は、その通常使用権者であるワコールが、本件審判の請求の登録前３年以内に、その請求に係る指定商品中の商品「タオル」について使用していたことが明らかである。
　イ　商品「パジャマ」における商標の使用
　ワコールは、本件商標を表示した商品「パジャマ」を販売している事実がある。乙第７号証は、その上半部にワコールの販売に係る商品「パジャマ」を示し、下半部に該「パジャマ」に取着された下げ札を示すものである。また、乙第８号証は、商品「パジャマ」をハンガーに吊り下げて展示する際に使用するハンガータグの表面を示すものである。
　これらの証拠から明らかなように、ハンガータグの表面に、手書き風に表した「Ｓｌｅｅｐｉｎｇ　Ｂｅａｕｔｙ」の文字よりなる商標が表示されており、下げ札の表面にも、これを拡大して示す前記乙第５号証から明らかなように手書き風に表した「Ｓｌｅｅｐｉｎｇ　Ｂｅａｕｔｙ」の文字よりなる商標が表示されている。これら使用商標は、上記アの商品「タオル」について述べたように、本件商標と社会通念上同一と認められる商標であることは明らかである。
　また、下げ札には、商品の品番「ＥＰ７３６２」が表示されており、この品番「ＥＰ７３６２」は乙第９号証として提出する納品書にも表示されていることから、当該品番の商品が現実に販売されたことが明らかである。
当該納品書は、ワコールから株式会社平和堂アル・プラザ京田辺店（所在地：京都府京田辺市田辺中央五丁目２番地１）に対してのものであり、本件審判の請求の登録前３年以内である平成１９年１１月１６日に品番「ＥＰ７３６２」の商品が納品された事実を示すものである。
　さらに、乙第１０号証は、「ブールマルシェ」（所在地：東京都渋谷区神南１−１５−５神南プラザビル１階）のウェブサイトにおいて２００７年８月の「ブールマルシェ便り」に掲載された広告である。当該広告には、商品「パジャマ」の写真が掲載されると共に、「まさに、そんな夢の中の世界をイメージした『スリーピングビューティー』ブールマルシェでも大好評のナイティシリーズです。」の記載があり、「フェア期間中、『スリーピングビューティー』のナイティをお買い上げの方にオリジナルのコースター４枚セットと油取り紙をプレゼントしちゃいます！」の記載がある。また、乙第１１号証は、２００７年１１月の「ブールマルシェ便り」に掲載された広告である。当該広告には、商品「パジャマ」の写真が掲載されると共に、「ブールマルシェで大人気のとびきり可愛いパジャマブランド『スリーピングビューティ』のパジャマたちを、たっぷり用意しました♪♪」の記載がある。これらの証拠から、ワコールの販売する商品「パジャマ」が商品の宣伝広告において「スリーピングビューティ」と指称されていることが明らかである。
　以上のことから、本件商標は、その通常使用権者であるワコールが、本件審判の請求の登録前３年以内に、その請求に係る指定商品中の商品「パジャマ」について使用していたことが明らかである。
　ウ　商品「ブラジャー」における商標の使用
　ワコールは、本件商標を表示した商品「ブラジャー」を販売している事実がある。その商品（品番：ＥＹ８３９６）を撮影した写真を乙第１２号証の１及び同号証の２として提出する。
　乙第１２号証の１に示す商品「ブラジャー」には、その商品タグの表面に示されているように「Ｓｌｅｅｐｉｎｇ」と「Ｂｅａｕｔｙ」とが上下二段に構成してなる商標が表示されている。該商標は、縦長のタグ紙面の大きさの関係で上下二段に構成したものであり、該商標はたとえ上下二段構成であっても、「スリーピング」あるいは「ビューティ」のみの称呼が生ずることなく、常に「スリーピングビューティ」と称呼されるものであるから、外観的な相違はあるとしても本件商標と社会通念上同一の商標である。
　乙第１２号証の２は、上記商品の商品タグの裏面を撮影したものであり、該裏面には上記商品の品番「ＥＹ８３９６」と通常使用権者である「株式会社ワコール」の表示とが示されている。当該品番の商品が現実に販売されたことは、乙第１３号証ないし乙第１５号証の取引書類から明らかである。乙第１３号証には平成１７年２月８日に前記品番の商品がワコールウイング（株式会社ワコールのファミリーブランドの名称）から株式会社長崎屋八戸店（所在地：青森県八戸市江陽２−１４−１）へ納品されたことが示されている。また、乙第１４号証には平成１７年２月８日に前記品番の商品「ワコールウイング（株式会社ワコールのファミリーブランドの名称）から株式会社長崎屋柏崎店（所在地：新潟県柏崎市東長浜町４−１５）へ納品されたことが示されている。さらに、乙第１５号証には平成１７年２月２４日に前記品番の商品が株式会社ワコールからユニー株式会社アピタ田富店（所在地：山梨県中央市山之神１３８３−９）へ納品されたことが示されている。
　以上のことから、本件商標は、その通常使用権者であるワコールが、本件審判の請求の登録前３年以内に、その請求に係る指定商品中の商品「ブラジャー」について使用していたことが明らかである。
（４）まとめ
　以上詳述したように、本件商標は、被請求人が許諾した通常使用権者により、本件審判の請求の登録前３年以内に日本国内において、その請求に係る指定商品について使用されていることは明らかである。
　したがって、本件商標は、商標法第５０条第１項の規定により取り消されるべきものではなく、請求の趣旨の通りの審決を求める旨主張している。
　　　
４　請求人の弁駁
　請求人は、被請求人の答弁に対し弁駁していない。
　　
５　当審の判断
　被請求人が提出した証拠によれば、以下の事実が認められる。
（１）通常使用権者について
　ア　乙第１号証は、商標使用許諾契約書と認められるところ、平成１４年１１月１日に、商標権者とワコールとの間で、本件商標に係る権利の内、商品「パジャマ、ナイトウェア、婦人下着」について、本件商標の日本国内における通常使用を許諾していることが認められる。
　イ　乙第２号証は、商標使用許諾契約書と認められるところ、本件商標の指定商品の書換登録後、契約内容の正確性を期するために、平成１８年１１月１日に、商標権者とワコールとの間で、国際分類第２４類及び第２５類の商品について、本件商標の日本国内における通常使用を許諾していることが認められる。
　ウ　乙第３号証は、２００７年１１月２６日付けの商標権者からワコール宛の請求書及び同日付けのワコールから商標権者宛の支払通知書と認められるところ、「商標使用料（供与）２４，２５類　スリーピングビューティー／ＳＬＥＥＰＩＮＧＢＥＡＵＴＹ」の文字及び請求金額合計等が記載されている。
　してみれば、ワコールは、本件商標の通常使用権者と認められる。
（２）本件商標の使用について
　ア　乙第４号証は、商品「タオル」及び下げ札の写真と認められるところ、下げ札の表面に表示された商標は、「Ｓｌｅｅｐｉｎｇ」の文字と「Ｂｅａｕｔｙ」の文字との間に小さな鳥の図形を有するものの、文字部分は「スリーピングビューティ」の称呼及び（眠り姫）の観念を同じくする本件商標と社会通念上同一の商標と認めることができる。また、下げ札の裏面には、「日本製・株式会社ワコール」の文字、品番「ＥＹ８７１１」、バーコードの番号「４９０３７２６０１８３６５」及び価格が記載されている。
　イ　乙第５号証は、下げ札の表面の写しと認められるところ、前記（２）アと同様の商標が記載されている。
　ウ　乙第６号証は、２００６年７月１９日付けのＫＫワコール　ウイングジギョウブからＷＩＮＧチョクエイテンのブールマルシェへの納品書と認められるところ、品番「ＥＹ８７１１」、商品コードがバーコードの番号と同一の「４９０３７２６０１８３６５」及び売単価が記載されており、この売単価は、乙第４号証の価格と一致している。
　エ　乙第７号証は、商品「パジャマ」、ハンガータグ及び下げ札の写真と認められるところ、ハンガータグ及び下げ札の表面に表示された商標は、「Ｓｌｅｅｐｉｎｇ」の文字と「Ｂｅａｕｔｙ」の文字との間に小さな鳥の図形を有するものの、文字部分は「スリーピングビューティ」の称呼及び（眠り姫）の観念を同じくする本件商標と社会通念上同一の商標と認めることができる。また、下げ札の裏面には、品番「ＥＰ７３６２」及び価格が記載されている。
　オ　乙第８号証は、ハンガータグの表面の写しと認められるところ、前記（２）エと同様の商標が記載されている。
　カ　乙第９号証は、２００７年１１月１６日付けのワコールからヘイワドウへの納品書と認められるところ、品番「ＥＰ７３６２」及び売単価が記載されており、この売単価は、乙第７号証の価格と一致している。
　キ　乙第１２号証の１は、商品「ブラジャー」及び下げ札の写真と認められるところ、下げ札の表面には、「Ｓｌｅｅｐｉｎｇ」の文字と「Ｂｅａｕｔｙ」の文字が上下二段に表されており、この商標は、本件商標と社会通念上同一の商標と認めることができる。
　ク　乙第１２号証の２は、商品「ブラジャー」及び下げ札の写真と認められるところ、下げ札の裏面には、品番「ＥＹ８３９６」が記載されている。
　ケ　乙第１３号証は、２００５年２月８日付けのワコールウイングからナガサキヤのハチノヘ店への納品書と認められるところ、品番「ＥＹ８３９６」が記載されている。
　コ　乙第１４号証は、２００５年２月８日付けのワコールウイングからナガサキヤのカシワザキ店への納品書と認められるところ、品番「ＥＹ８３９６」が記載されている。
　サ　乙第１５号証は、２００５年２月２４日付けのワコール　ウイングブランド事業本部からユニーカントウへの納品書と認められるところ、品番「ＥＹ８３９６」が記載されている。
（３）まとめ
　ア　乙第４号証ないし乙第６号証によれば、本件審判の請求の登録前３年以内に、日本国内において、通常使用権者が指定商品中「布製身の回り品」に属する「タオル」について、本件商標と社会通念上同一と認められる商標を使用していたものと推認することができる。
　イ　乙第７号証ないし乙第９号証及び乙第１２号証の１ないし乙第１５号証（枝番号を含む。）によれば、本件審判の請求の登録前３年以内に、日本国内において、通常使用権者が指定商品中「被服」に属する「パジャマ」及び「ブラジャー」について、本件商標と社会通念上同一と認められる商標を使用していたものと認めることができる。
　したがって、本件商標の登録は、商標法第５０条の規定により、取り消すことはできない。
　よって、結論のとおり審決する。